(57)【要約】【課題】部品点数が少なく、組み付けが容易な傾斜搬送可能な循環型飲食物搬送装置を提供すること。【解決手段】複数の略半月状のスラット部材４とこれらスラット部材４を連結運搬するチェーン部材から成るクレセントコンベヤにより物品を循環搬送する傾斜搬送可能な循環型搬送装置において、チェーン部材はチェーンリンク６を繋ぐ連結ピン８にて、スラット搬送面と同一面内で揺動自在となるように構成されていると共に、少なくとも前記スラット搬送面に対し上下方向にも揺動自在となるように構成されている。【選択図】  図５
2004315152.tif 000002
【特許請求の範囲】
【請求項１】
複数の略半月状のスラット部材とこれらスラット部材を連結運搬するチェーン部材から成るクレセントコンベヤにより物品を循環搬送する傾斜搬送可能な循環型搬送装置であって、
前記チェーン部材はチェーンリンクを繋ぐ連結ピンにて、スラット部材の搬送面と同一面内で揺動自在となるように構成されていると共に、少なくとも前記搬送面に対し上下方向にも揺動自在となるように構成されていることを特徴とする傾斜搬送可能な循環型搬送装置。
【請求項２】
前記チェーンリンクは含油ブッシュを介して連結ピンに回動支持されている請求項１に記載の傾斜搬送可能な循環型搬送装置。
【請求項３】
前記連結ピンは球状転動面を有している請求項１または２に記載の傾斜搬送可能な循環型搬送装置。
【請求項４】
前記チェーン部材とスラット部材をそれぞれ別体で構成し、該スラット部材をチェーンリンクに嵌装し、かつ連結ピンに嵌入させることでスラット部材をチェーン部材に連結する請求項１ないし３の何れかに記載の傾斜搬送可能な循環型搬送装置。
【請求項５】
前記チェーン部材が金属製で、スラット部材が樹脂製で構成されている請求項４に記載の傾斜搬送可能な循環型搬送装置。
【発明の詳細な説明】
【０００１】
【発明の属する技術分野】
本発明は、複数の略半月状のスラット部材とこれらスラット部材を連結運搬するチェーン部材から成るクレセントコンベヤにより物品を循環搬送する傾斜搬送可能な循環型搬送装置に関する。
【０００２】
【従来の技術】
従来、傾斜搬送可能なクレセントコンベヤとしてスラット部材が３軸方向に揺動できるようにリンクチェーンを連結したものが知られている（特許文献１参照）。図８（ａ）はこのような従来の傾斜搬送可能なクレセントコンベヤの側面図であり、（ｂ）はその背面図である。
【０００３】
図８（ａ）、（ｂ）に示すように、クレセントコンベア０１は、その上面部に、平面板である飲食物容器が載置可能なスラット部材０２が駆動チェーン部材０３に係合し、駆動チェーン部材０３はスラット搬送面０２ａと同一面内で揺動自在に支持されていると共に、駆動チェーン部材０３が進行方向に対し上下方向及び左右のねじれ方向に可動となるように支持されて、傾斜搬送が可能となっている。
【０００４】
具体的には、スラット部材０２にはそのスラット搬送面０２ａに対し鉛直方向に係合ピン０４が植設され、この係合ピン０４に対し連結リンク０５と０７が回動可能に取り付けられ、連結リンク０６と０８がスラット部材０２に固定されている。これによりスラット部材０２がその搬送面０２ａと同一面内で揺動でき、連結リンク０６と０７が連結ピン０９に回動可能に取り付けられることで、駆動チェーン部材０３が進行方向に対し上下方向に移動でき、連結リンク０５と０８回動可能な連結棒０１０で連結されていることで、駆動チェーン部材０３が左右のねじれ方向に移動可能となっている。
【０００５】
【特許文献１】
特開平１１−５６５７５号公報（段落００２６−００３２、図６参照）
【０００６】
【発明が解決しようとする課題】
前記特許文献１に記載のものは、上下或いは左右またはその両者を含む傾動搬送に適しているが、３軸方向に回動できるように係合ピン０４、連結ピン０８及連結棒０１０を必要としているために、部品点数が多くなり、しかも連結リンク０５〜０８の組み付け構造が複雑となる欠点を有していた。
【０００７】
本発明は上記した課題に着目してなされたもので、部品点数が少なく、組み付けが容易な傾斜搬送可能な循環型搬送装置を提供することを目的としている。
【０００８】
【課題を解決するための手段】
上記課題を解決するために、本発明の傾斜搬送可能な循環型搬送装置は、複数の略半月状のスラット部材とこれらスラット部材を連結運搬するチェーン部材から成るクレセントコンベヤにより物品を循環搬送する傾斜搬送可能な循環型搬送装置であって、前記チェーン部材はチェーンリンクを繋ぐ連結ピンにて、スラット部材の搬送面と同一面内で揺動自在となるように構成されていると共に、少なくとも前記搬送面に対し上下方向にも揺動自在となるように構成されていることを特徴としている。
この特徴によれば、チェーン部材をスラット搬送面と同一面内で揺動自在、かつ上下方向に揺動自在とするものが連結ピンだけで済むので、部品点数を少なくでき、しかも組み付けが容易に行える。
【０００９】
本発明の傾斜搬送可能な循環型搬送装置において、前記チェーンリンクは含油ブッシュを介して連結ピンに回動支持されていることが好ましい。
このようにすれば、各種方向から負荷を受ける連結ピンに対して無給油状態で長期にわたり潤滑して、チェーン部材の耐久性の向上を図ることができる。
【００１０】
本発明の傾斜搬送可能な循環型搬送装置において、前記連結ピンは球状転動面を有していることが好ましい。
このようにすれば、球状転動面によりチェーン進行方向に対する左右方向のねじれにも対応して搬送できる。
【００１１】
本発明の傾斜搬送可能な循環型搬送装置において、前記チェーン部材とスラット部材をそれぞれ別体で構成し、該スラット部材をチェーンリンクに嵌装し、かつ連結ピンに嵌入させることでスラット部材をチェーン部材に連結することが好ましい。
このようにすれば、チェーン部材を単独で組み付けた後に、スラット部材を連結できるので、チェーン部材の製作に際しスラット部材と関係なく組み付けることができ、しかもスラット部材の取り付け取り外しが自在であるので、メンテナンスも容易にできる。
【００１２】
本発明の傾斜搬送可能な循環型搬送装置において、前記チェーン部材が金属製で、スラット部材が樹脂製で構成されていることが好ましい。
このようにすれば、チェーン部材が金属製であるので、牽引力が作用するチェーン部材を強固に製作し、樹脂製のスラット部材でクレセントコンベヤの軽量化を図ることができる。
【００１３】
【発明の実施の形態】
以下、本発明の実施例を図面に基づいて説明する。
【００１４】
図１は本発明の一実施形態であって、クレセントコンベヤの側面図、図２はクレセントコンベヤの底面図、図３は連接された複数の略半月状スラット部材の底面図、図４はチェーン部材の底面図、図５はスラット部材とチェーン部材との係合関係を示す部分拡大断面図、図６（ａ）は底面からスラット部材を視た斜視図、（ｂ）はスラット部材の底面に連結されるチェーンリンクを上部から視た部分斜視図であり、図７は傾斜搬送されるクレセントコンベヤの側面図である。
【００１５】
図１において、１はクレセントコンベヤであって、このクレセントコンベヤ１は、複数の略半月状のスラット部材４とこれらスラット部材４を連結運搬するチェーン部材２から成り、物品、例えば飲食物容器を循環搬送するための傾斜搬送可能な循環型搬送装置に採用されている。
【００１６】
そして、このクレセントコンベヤ１のチェーン部材２は金属製であって、チェーンリンク６を繋ぐ連結ピン８にて、スラット搬送面４Ａと同一面内で揺動自在に支持されると共に、少なくともスラット搬送面４Ａに対し上下方向にも揺動自在に支持されている。
【００１７】
次にスラット部材４を図２、図３に基づき詳述する。
【００１８】
スラット部材４は、所定板厚の樹脂材により略半月状に形成されており、搬送方向先端が所定曲率の凸状円弧部４ａが形成されると共に搬送方向Ｓ後端が所定曲率の凹状円弧部４ｂが形成され、凸状円弧部４ａの先端下面には上方に向く傾斜面４ｃが形成されている。
【００１９】
スラット部材４下面の後方には、後述するチェーンリンク６の上部リンク１５先端の左右両側から水平に張り出した一対の板状係止片１５ａ，１５ｂをスラット部材４の後端側から差込み嵌入保持するための保持部１０が搬送中心部近傍に一体形成されている。
【００２０】
この保持部１０は、図３に示すようにスラット部材４下面の搬送中心に対し対称的に配設された２つの係合保持部１０ａ，１０ｂから成り、これら係合保持部１０ａ，１０ｂは、対向する両内側面ないし前方に係合溝ＳＭ，ＦＭがそれぞれ形成されており後端側は差込可能に開放されている。
【００２１】
スラット部材４の下面には、係合保持部１０ａ，１０ｂの中間に後述するチェーンリンク６の連結ピン８の頭部が嵌入可能なざぐり穴１２が形成されており、このざぐり穴１２に連絡するざぐり穴１２より浅いガイド溝１４が凹状円弧部４ｂの底部からざぐり穴１２に向かって形成されている。
【００２２】
一方、チェーン部材２は、図１，図４に示すように、金属製の上部リンク１５と下部リンク１６から成るチェーンリンク６はその両端部で連結ピン８を介してスラット搬送面と同一面内で揺動自在に連結されている。
【００２３】
連結ピン８の中間部は円柱体として構成され、両端側は曲率半径Ｒからなる球状転動面８ｃが形成され、上部リンク１５と下部リンク１６の間に連結支持されるスリーブ２２の挿通孔内部に形成された球状転動面２２ａ内に転動可能に挿嵌支持されている。
【００２４】
スリーブ２２は、含油ブッシュで構成されており、このスリーブ２２外周には、図示しないスプロケットの歯部に係合する円筒コロ１８が回転自在に挿嵌されている。これにより各種方向から負荷を受ける連結ピン８に対して無給油状態で長期にわたり潤滑することができる。
【００２５】
上部リンク１５の前端上面には連結ピン８の上端が挿通突出し、この連結ピン８上端には、大径段付き軸８ｂを介してフランジ状の頭部８ａが形成されている。
【００２６】
そして、この大径段付き軸８ｂは、上部リンク１５の連結孔１５ｃに挿通保持されると共に、連結ピン８下端の小径軸８ｄは下部リンク１６の連結孔１５ｄに挿通保持され、連結孔１５ｄを挿通した連結ピン８の下端には割ピン２４が横切るように挿通保持されている。
【００２７】
上記のように構成されたチェーンリンク６の前後両端が連結ピン８を介して揺動自在に連結されて所定長さのチェーン部材２が構成されると、それぞれのチェーンリンク６を連結する連結ピン８の上端にチェーン部材２の端部から順次樹脂製のスラット部材４がそれぞれ係合保持される。
【００２８】
図６に示すように、連結ピン８の上端にスラット部材４を係合保持するに際し、スラット部材４後端の凹状円弧部４ｂの底部側から下面に形成されるガイド溝１４に、連結ピン８上端のフランジ状頭部８ａを係合させて移動させることで、上部リンク１５先端の板状係止片１５ａ，１５ｂがスラット部材４下面の係合保持部１０ａ，１０ｂの両係合溝ＳＭ（図３）に差し込まれる。
【００２９】
板状係止片１５ａ，１５ｂが係合保持部１０ａ，１０ｂの両係合溝ＳＭに差し込まれる際に、ガイド溝１４の溝底面がフランジ状頭部８ａに押圧付勢された状態で移動し、板状係止片１５ａ，１５ｂの先端が前方係合溝ＦＭ（図３）の溝底に当接したところでフランジ状頭部８ａがスラット部材４下面のざぐり穴１２内に嵌入する。
【００３０】
これにより、複数のチェーンリンク６を連結する連結ピン８上端のフランジ状頭部８ａにそれぞれスラット部材４が係合保持されて所定長さのチェーン部材２が構成されると、図７に示すように、連結ピン８外周の球状転動面８ｃがスリーブ２２挿通孔内部の球状転動面２２ａ内において所定角度の範囲内で転動することで連結ピン８はあらゆる方向の回動が可能になることから、チェーン部材２は、その搬送面と同一面内だけでなく、搬送面に対し上下方向にも揺動することができる。
【００３１】
従って、上記のように構成された傾斜搬送可能な循環型搬送装置によれば、スラット部材４が複数のチェーンリンク６を繋ぐ球状転動面８ｃを有する連結ピン８の頭部８ａに係合保持されるので、部品点数の少ない傾斜搬送に適した循環型搬送装置を得ることができる。
【００３２】
また、複数のチェーンリンク６を連結する連結ピン８が、含油ブッシュで構成されるスリーブ２２に回動支持されているので、各種方向から負荷を受ける連結ピン８に対して無給油状態で長期にわたり潤滑して、チェーン部材２の耐久性の向上を図ることができる。
【００３３】
更に、連結ピン８は、球状転動面８ｃを有しているので、チェーン部材２の進行方向に対する左右方向のねじれにも対応して搬送できる。
【００３４】
また、チェーン部材２を金属材料で構成し、略半月状に形成される所定板厚のスラット部材４を樹脂材としてそれぞれ別体で構成して前記スラット部材４をチェーンリンク６に嵌装し、且つ連結ピン８に嵌入させてスラット部材４をチェーン部材２に連結するよう構成されるので、牽引力が作用するチェーン部材を強固に製作して、樹脂製のスラット部材でクレセントコンベヤの軽量化を図ることができる。
【００３５】
以上、本発明の実施形態を図面により説明してきたが、具体的な構成はこれら実施例に限られるものではなく、例えば、チェーン部材２を金属製とし、スラット部材４を樹脂製として説明しているが、必ずこれに限るものではなく、牽引力に耐え、物品を運搬できるのであれば、いかなる素材の組合せであっても良い。
【００３６】
【発明の効果】
本発明によれば、次のような効果を奏することができる。
【００３７】
（ａ）請求項１記載の発明によれば、チェーン部材をスラット搬送面と同一面内で揺動自在、かつ上下方向に揺動自在とするものが連結ピンだけで済むので、部品点数を少なくでき、しかも組み付けが容易に行える。
【００３８】
（ｂ）請求項２記載の発明によれば、各種方向から負荷を受ける連結ピンに対して無給油状態で長期にわたり潤滑して、チェーン部材の耐久性の向上を図ることができる。
【００３９】
（ｃ）請求項３記載の発明によれば、球状転動面によりチェーン進行方向に対する左右方向のねじれにも対応して搬送できる。
【００４０】
（ｄ）請求項４記載の発明によれば、チェーン部材を単独で組み付けた後に、スラット部材を連結できるので、チェーン部材の製作に際しスラット部材と関係なく組み付けることができ、しかもスラット部材の取り付け取り外しが自在であるので、メンテナンスも容易にできる。
【００４１】
（ｅ）請求項５記載の発明によれば、チェーン部材が金属製であるので、牽引力が作用するチェーン部材を強固に製作し、樹脂製のスラット部材でクレセントコンベヤの軽量化を図ることができる。
【図面の簡単な説明】
【図１】本発明の一実施形態であって、クレセントコンベヤの側面図である。
【図２】クレセントコンベヤの底面図である。
【図３】連接された複数の略半月状スラット部材の底面図である。
【図４】チェーン部材の底面図である。
【図５】スラット部材とチェーン部材との係合関係を示す部分拡大断面図である。
【図６】（ａ）は底面からスラット部材を視た斜視図、（ｂ）はスラット部材の底面に連結されるチェーンリンクを上部から視た部分斜視図である。
【図７】傾斜搬送されるクレセントコンベヤの側面図である。
【図８】（ａ）は従来の傾斜搬送可能なクレセントコンベヤの側面図であり、（ｂ）はその背面図である。
【符号の説明】
１                クレセントコンベヤ
２                チェーン部材
４                スラット部材
４Ａ              スラット搬送面
４ａ              凸状円弧部
４ｂ              凹状円弧部
４ｃ              傾斜面
６                チェーンリンク
８                連結ピン
８ａ              フランジ状頭部
８ｂ              大径段付き軸
８ｃ              球状転動面
８ｄ              小径軸
１０              保持部
１０ａ，１０ｂ    係合保持部
１２              ざぐり穴
１４              ガイド溝
１５              上部リンク
１５ａ，１５ｂ    板状係止片
１５ｃ，１５ｄ    連結孔
１６              下部リンク
１８              円筒コロ
２２              スリーブ（含油スリーブ）
２２ａ            球状転動面
２４              割ピン
ＦＭ              前方係合溝
Ｒ                曲率半径
Ｓ                搬送方向
ＳＭ              内側係合溝
【図１】
2004315152.tif 000003
【図２】
2004315152.tif 000004
【図３】
2004315152.tif 000005
【図４】
2004315152.tif 000006
【図５】
2004315152.tif 000007
【図６】
2004315152.tif 000008
【図７】
2004315152.tif 000009
【図８】
2004315152.tif 000010